(57)【特許請求の範囲】
【請求項１】
所望の設置面に取付ピンにより取り付けられる警報器において、
該警報器には、前記取付ピンが挿通される挿通孔が形成された挿通部が設けられ、前記挿通孔の周囲には、前記取付ピンの頭部が当接する第１突設部および第２突設部と、前記第２突設部の両側に形成され前記取付ピンの頭部が当接せずに前記取付ピンの軸部が露出する凹部と、が設けられ、
前記第１突設部は、前記挿通孔の周囲の大部分に亘るように、前記挿通孔の一側から少なくとも前記挿通孔の軸心を囲んで前記挿通孔の他側方向に亘って正面視略正方形状に形成され、
前記第２突設部は、前記第１突設部に直交するように、前記挿通孔を挟んだ対称位置の他側に前記挿通孔の径よりも幅狭な正面視略長方形状に形成されていることを特徴とする警報器。
【発明の詳細な説明】
【技術分野】
【０００１】
本発明は、壁面や天井等の設置面に、取付ピンにより取り付けられる警報器に関するものである。
【背景技術】
【０００２】
従来、設置面に警報器を取り付けるために、取付ネジ、または固定釘などのピン状のものを用いていた。一例として、取付け板に、固定釘を当該取付け板に対して斜交するように挿通させる挿通部を設け、これら挿通部に挿通させた固定釘を壁面に打設することによって取付け板を壁面に固定すると共に、取付け板に警報器を取付けることにより、壁面に対して警報器を取り付けるものがある（例えば、特許文献１、参照）。
【特許文献１】特開２００２−３２９２６６号公報
【発明の開示】
【発明が解決しようとする課題】
【０００３】
上記の従来例では、警報器を移設するために取付け板を設置面から取り外す場合、固定釘が抜きにくいという問題があった。これは固定釘の頭部全体が挿通部に密着しているため、抜くために必要な掴む箇所がないところに問題があった。
【０００４】
本発明は、前記問題点に鑑みてなされたものであり、その目的は、設置面に取付ピンにより取り付けられた警報器を、簡便に取り外せるようにすることにある。
【課題を解決するための手段】
【０００５】
この発明は、所望の設置面に取付ピンにより取り付けられる警報器において、該警報器には、前記取付ピンが挿通される挿通孔が形成された挿通部が設けられ、前記挿通孔の周囲には、前記取付ピンの頭部が当接する第１突設部および第２突設部と、前記第２突設部の両側に形成され前記取付ピンの頭部が当接せずに前記取付ピンの軸部が露出する凹部と、が設けられ、前記第１突設部は、前記挿通孔の周囲の大部分に亘るように、前記挿通孔の一側から少なくとも前記挿通孔の軸心を囲んで前記挿通孔の他側方向に亘って正面視略正方形状に形成され、前記第２突設部は、前記第１突設部に直交するように、前記挿通孔を挟んだ対称位置の他側に前記挿通孔の径よりも幅狭な正面視略長方形状に形成されていることを特徴とする
【発明の効果】
【０００８】
本発明は、前記のように構成したので、下記のような種々の効果を奏する。即ち、取付ピンの頭部が当接せずに取付ピンの軸部が露出する凹部を設けたので、警報器の取り外しの際にマイナスドライバー等を凹部内に挿入し、取付ピンの軸部に押し当ててねじるなどして、取付ピンの頭部と突設部との当接状態を解除して、取付ピンを引き抜きやすくすることができ、警報器を設置面から容易に取り外すことができる。また、突設部によって取付ピンの軸部を極力多く覆う構造としたので、取付状態での安定性が向上する。
【発明を実施するための最良の形態】
【０００９】
本発明者は、前記問題を解決するための研究、実験を重ねた結果、次のようにすればよいことが解った。即ち、警報器に、取付ピンが挿通される挿通孔が形成された挿通部を設け、挿通孔の周囲に、取付ピンの頭部が当接する突設部と、取付ピンの頭部が当接せずに取付ピンの軸部が露出する凹部と、を設け、挿通孔の周囲の大部分に亘って、突設部を設けるものである。この構成によれば、取付ピンの頭部が当接せずに取付ピンの軸部が露出する凹部を設けたので、警報器の取り外しの際には、マイナスドライバー等を凹部内に挿入し、取付ピンの軸部に押し当ててねじるなどして、取付ピンの頭部と突設部との当接状態を解除して、取付ピンを引き抜きやすくすることができ、警報器を設置面から容易に取り外すことができる。また、突設部によって取付ピンの軸部を極力多く覆う構造として、取付状態での安定性を向上させてある。
【実施例】
【００１０】
以下に、本発明の第１実施例を図１〜図４を参照して詳細に説明する。図１は本発明の実施例１を示す火災警報器の断面図、図２は取付部材の正面斜視図、図３は挿通部の拡大斜視図、図４は挿通部の拡大正面図である。
【００１１】
警報器の一例としての火災警報器１は、警報器本体５と取付部材２によって筐体が構成される。取付部の一例としての取付部材２は、図１〜図２に示すように円板状に形成されている。取付部材２は、図１に示すように一般家屋の設置面、例えば、壁面である石膏ボード３等の表面に、複数の取付ピン４（図１には１つのみを示す）によって固定されている。そして、図１に示すように取付部材２を固定した後、左側から想像線（２点鎖線）で示すように警報器本体５を取り付け、火災警報器１の取り付けが完了する。
【００１２】
取付部材２は、合成樹脂を成型したものであり、略円板状の底板７の外側面には円環状の枠部８が設けられ、枠部８の内側には径方向の相対位置に刃受け部９が形成された円環状部１０が設けられ、また、円環状部１０の内側には複数の挿通部１１が凸設されている。挿通部１１は、本実施例では径方向の略相対位置に２個と、それよりも内側に１個設けられているが、取付ピン４を取付部材２に対して互いに異なる方向で斜交するように挿通させるものであればよく、そのため、その配設位置はそれ以外であってもよく、その個数もそれ以外の必要数であってもよい。
【００１３】
挿通部１１は、図１〜図４に示すように、取付部材２の外側に向かって高くなる断面略三角形状であり、取付ピン４の軸部４ｂが挿通される挿通孔１１ａが取付部材２の背面に至る如く形成されている。
【００１４】
挿通部１１の上部において、挿通孔１１ａの周囲には、取付ピン４の挿通完了時に取付ピン４の頭部４ａが当接する第１突設部１１ｂと第２突設部１１ｃとが設けられ、それらで形成された当接面が挿通孔１１ａに直交する如く形成されている。図４に示すように、第１突設部１１ｂは、取付部材２の内側方向に位置し、挿通孔１１ａの一側Ｘから少なくとも挿通孔１１ａの軸心Ｙを囲んで挿通孔１１ａの他側Ｚ方向に亘って設けられた正面視略正方形形状であり、また、第２突設部１１ｃは、取付部材２の外側方向に位置し、挿通孔の他側Ｚに設けられた挿通孔１１ａの径よりも幅狭の正面視略長方形形状である。突設部１１ｂ、１１ｃは、挿通孔１１ａの周囲の大部分、例えば半分以上に亘って設けられているので、取付ピン４の軸部４ｂを極力多く覆う構造となり、石膏ボード３への取付状態での安定性を向上させてある。また、挿通孔１１ａの径を挟んだ対称位置、具体的には、挿通孔１１ａの一側Ｘ、軸心Ｙ、他側Ｚを通る直線上の対称位置に突設部１１ｂ、１１ｃが設けられ、また前記直線と直交して軸心Ｙを通る直線上の対称位置に突設部１１ｂが設けられているので、つまり、挿通孔１１ａの四方に突設部が設けられているので、取付ピン４の頭部４ａの片辺りを防止して、突設部１１ｂ、１１ｃへの当接状態が安定する。
【００１５】
さらに、挿通部１１の上部において、挿通孔１１ａの周囲には、取付ピン４の頭部４ａが当接せずに取付ピン４の軸部４ｂが露出する第１凹部１１ｄと第２凹部１１ｅとが設けられている。第１凹部１１ｄと第２凹部１１ｅとは、取付部材２の外側方向に位置し、第１突設部１１ｂと第２突設部１１ｃ間に凹設された正面視略長方形形状である。火災警報器１の取り外しの際には、凹部１１ｄ、１１ｅ内にマイナスドライバー等を挿入して、取付ピン４の軸部４ｂに押し当ててねじることなどをすることができ、これにより、取付ピン４の頭部４ａと突設部１１ｂ、１１ｃとの当接状態を解除して、取付ピン４を引き抜きやすくすることができるので、取付部材２を設置面から容易に取り外すことができる。
【００１６】
３つの挿通部１１の挿通孔１１ａは、取付部材２の背面との交差角度がそれぞれ６０°の角度であり（図１参照）、かつ、取付部材２の径外方に向かう如く、略ハ字状に形成されている。３つの取付ピン４の石膏ボード３への打ち込み方向がそれぞれ異なるので、取付部材２は取付ピン４の引き抜き方向（図１の左側方向）への移動が規制され、火災警報器１に外力が加わっても、石膏ボード３から火災警報器１が脱落することはない。
【００１７】
取付ピン４は、図１、図４に示すように（図４には想像線で示す）、挿通孔１１ｂ内を挿通する軸部４ｂと、挿通完了時に突設部１１ｂ、１１ｃの当接面に当接する頭部１１ａとを有する。軸部４ｂは、先尖状で１．０ｍｍ程度の径のものであり、頭部１１ａは、例えば手指で押圧しやすい大きさの略円筒状に形成されている。
【００１８】
警報器本体５は、図１に想像線で示すように、略先細円筒状の外形であり、火災検出部、回路基板等が内部に収納されている。また、背面の外周内縁には径方向の相対位置に２つの刃部（不図示）が設けられている。取付部材２の刃受け部９に刃部（不図示）が係合することによって、警報器本体５は取付部材２に取り付けられる。
【００１９】
前記取付部材２を石膏ボード３に固定する場合、石膏ボード３の固定したい位置に取付部材２を当て付ける。次に、取付ピン４の頭部４ａを手指で摘んで、図１に示すように、頭部４ａが挿通部１１の突設部１１ｂ、１１ｃの当接面に当接するまで、軸部４ｂを挿通孔１１ａ内に挿通して、石膏ボード３に取付ピン４を押し込む。このとき、工具を用いてもよい。この押し込み動作を各取付ピン４に対して行い、取付部材２を石膏ボード３に固定する。最後に、取付部材２の左側から警報器本体５をあてがい、円環状部１０をガイドとして、警報器本体５を回動させて、警報器本体５の刃部（不図示）を取付部材２の刃受け部９に係合させて、警報器本体５を取り付ける。取付ピン４を挿通孔１１ａ内に挿通させ、手指などで押圧して石膏ボード３に押し込むことにより、火災警報器１を壁面等に固定することができる。従って、壁面等への固定作業を簡単に行うことができる。
【００２０】
なお、取付部材２には、詳細には説明しないが、図２に示されるように、ダルマ穴が上部に設けられ、また、長穴が下部に設けられているので、これらに取付ネジ等を螺着することによっても、設置面に固定することができる。
【００２１】
そして、火災警報器５を移設する必要が生じた場合、取付部材２の左側から警報器本体５を掴み、円環状部１０をガイドとして、前記の取り付け時とは逆方向に警報器本体５を回動させて、警報器本体５の刃部（不図示）と取付部材２の刃受け部９との係合を解除し、取付部材２から警報器本体５を取り外す。次に、凹部１１ｄ、１１ｅ内にマイナスドライバー等を挿入し、取付ピン４の軸部４ｂに押し当ててねじるなどして、取付ピン４の頭部４ａを図１の左方向に移動させて、取付ピン４の頭部４ａと突設部１１ｂ、１１ｃとの当接状態を解く。最後に、手指等で頭部４ａを持って、取付ピン４の軸部４ｂを挿通孔１１ａから取り出して、取付部材２を石膏ボード３から取り外す。
【００２２】
本発明の実施例において、挿通部１１の形状としては、挿通孔１１ａの周囲の大部分、例えば半分以上に亘って、突設部が設けられていればよく、例えば第２突設部１１ｃを削除して第１突設部１１ｂのみとしてもよい。また、例えば、突設部を、挿通孔１１ａの一側Ｘから少なくとも挿通孔１１ａの軸心Ｙを囲み、かつ、挿通孔１１ａの他側Ｚを含まないように、挿通孔１１ａの他側Ｚ方向に亘って設けられた第３突設部とし、一方、凹部を、挿通孔１１ａの他側に設けられた第３凹部としてもよい。このとき、第３突設部としては、第１突設部１１ｂと第１凹部１１ｄと第２凹部１１ｅとの箇所を連続する１つの突設部としたものであり、第３凹部としては、第２突設部１１ｃの箇所を凹部に形成したものである。
【００２３】
また、本発明の実施例において、火災警報器１の筐体として警報器本体５と取付部材２とを別体で構成したが、一体で構成し、その筐体の例えば側面等に取付部を設けるようにしてもよい。
【００２４】
また、本発明の実施例において、警報器として火災警報器１を用いて説明したが、ガス漏れ警報器などのその他の警報器であってもよい。
【図面の簡単な説明】
【００２５】
【図１】本発明の実施例１を示す火災警報器の断面図である。
【図２】図２は取付部材の正面斜視図である。
【図３】挿通部の拡大斜視図である。
【図４】挿通部の拡大正面図である。
【符号の説明】
【００２６】
１  火災警報器、２  取付部材、３  石膏ボード（設置面）、４  取付ピン、４ａ頭部、４ｂ  軸部、５  警報器本体、７  底板、８  枠部、９  刃受け部、１０  円環状部、１１  挿通部、１１ａ  挿通孔、１１ｂ  第１突設部、１１ｃ  第２突設部、１１ｄ  第１凹部、１１ｅ  第２凹部、Ｘ  挿通孔の一側、Ｙ  挿通孔の軸心、Ｚ  挿通孔の他側。
【図１】
0005187887.tif 000002
【図２】
0005187887.tif 000003
【図３】
0005187887.tif 000004
【図４】
0005187887.tif 000005